(57)【要約】【課題】  海面に対して海苔網を容易に接離することのできる海苔網設置構造を提供すること。【解決手段】  支持している海苔網１を反転させることにより海面に接している海中展張位置と海面から離間している干出位置とに変位させて保持する海苔網支持手段２３を有することを特徴とする海苔網設置構造。【選択図】      図２
2007000079.tif 000002
【特許請求の範囲】
【請求項１】
支持している海苔網を反転させることにより海面に接している海中展張位置と海面から離間している干出位置とに変位させて保持する海苔網支持手段を有することを特徴とする海苔網設置構造。
【請求項２】
一対の支持綱をその両端部を連結状態にして係止し、複数の前記海苔網支持手段を前記一対の支持綱を所定幅に展張するようにして支持綱の長手方向の複数箇所に設置し、前記一対の支持綱の間および前記海苔網支持手段の間に海苔網を展張させて、少なくとも１箇所の前記海苔網支持手段部分を反転させることにより全部の海苔網支持手段、支持綱および海苔網を反転させるように形成されていることを特徴とする請求項１に記載の海苔網設置構造。
【請求項３】
前記海苔網支持手段は、前記一対の支持綱を所定幅に展張する展張部材と、海苔網を海中展張位置に保持する第１浮子と、海苔網を干出位置に保持する第２浮子とを有することを特徴とする請求項１または請求項２に記載の海苔網設置構造。
【請求項４】
前記第２浮子の前記海苔網の幅方向の設置範囲は、前記一対の支持綱の間隔以内とされていることを特徴とする請求項３に記載の海苔網設置構造。
【発明の詳細な説明】
【技術分野】
【０００１】
本発明は、海苔養殖場において海苔網を海面に展張する海苔網設置構造に係り、特に、海苔網を海面より干出するのに好適な海苔網設置構造に関する。
【背景技術】
【０００２】
一般に、海苔の養殖は、海苔網等に浮子を取着して海面に浮かすように展張して錨で止める浮き流し（べた張り）方式、あるいは、海底から立設した支柱に海苔網を展張した支柱方式によって行われている。この両方式の使い分けは、海苔養殖場の立地条件により決定されている。
【０００３】
図６は従来の海苔の養殖に用いる浮き流し方式と称される海苔網設置構造における海苔網の展張状態の一例を示すものであり、海苔網（一部のみ図示）１は、四辺を形成する太い縁綱２に、縁綱２より細い複数の綱３が格子状などに編まれて帯状に形成されている。この海苔網１には、海苔網１に浮力を与え、さらに海苔網１の捻れを防止するために、軸方向に伸びるように形成された複数の伸子棒４が、その両端を海苔網１の長手方向に沿って位置する縁綱２に係止するようにして海苔網１の長手方向に沿って並列配置されている。そして、このように形成されている海苔網１は、複数の大浮子５、少浮子６および錨７等をもって海面に展張されている外側の大枠を形成する係留綱８と内部を平行に仕切る側綱９とによって区画されている領域に設置されている。即ち、各海苔網１の長手方向に伸びる縁綱２の複数箇所は吊り綱１０をもって係留綱８若しくは側綱９に連結され、海苔網１の４隅部は手綱１１をもって海苔網１の長手方向の端部に対面している係留綱８に連結されている。
【０００４】
このように形成されている従来の海苔網設置構造１２によれば、図７に示すように、海苔網１を海苔養殖場の海面ＳＳに展張することができるようになっている。なお、海面は潮の満ち引きで海底からの高さ位置が変化するので、海苔網１は、潮位の変化によっては海苔養殖場の海水中に展張されることになる。
【発明の開示】
【発明が解決しようとする課題】
【０００５】
ところで、海苔を育苗または育生する場合、海苔網１を海面ＳＳから離間して、日中の天日によって海苔に付着した雑菌の殺菌をすることが高品質の海苔を得ることができるという意味で海苔の養殖には望ましい。
【０００６】
しかしながら、前述した従来の海苔網設置構造１２においては、海苔網１を海面ＳＳに浮かすように設置されるため、海苔網１を海面ＳＳから離間させて大気中に浮かせて保持することができず、日中の天日によって海苔に付着した雑菌の殺菌をすることができないという問題点があった。
【０００７】
このような問題点に対処するために、図６に破線にて示すように、海苔網１の裏面側にＵ字状あるいはコ字状などの折曲形成した複数のパイプ体１３を海苔網１の長手方向に沿って並列配置し、これらのパイプ体１３の両端を海苔網１の長辺に沿って配設された側綱９および係留綱８に接続することによりパイプ体１３を図７に両矢印にて示すように、海苔網１の長手方向に沿って起倒可能に形成している。そして、海苔網１を海面ＳＳに展張する育苗時または育生時には、図７に実線にて示すように、パイプ体１３が海苔網１の裏面の下方に横倒しとなる横倒し状態とする。また、雑菌の殺菌などを行うために海苔網１を海面ＳＳの上方に位置する大気中に離間させる干出時には、パイプ体１３に図示しないロープを取り付けて海苔網１の長手方向に沿って人手によって引っ張ることで、図７に破線にて示すように、パイプ体１３を海苔網１の裏面の下方に起立した起立状態とすることが考えられる。
【０００８】
しかしながら、海苔網１を海面ＳＳの上方に離間させる干出時において、海苔網１の長手方向に沿って並列配置されている複数のパイプ体１３のすべてを一度に起立させるには、作業船上からの人手による多大な労力を必要とするという問題点があった。
【０００９】
なお、海苔網１を海面ＳＳの上方に離間させる干出時において、ロープの先端に取着したフックをパイプ体１３に係止して引っ張ることで、海苔網１の長手方向に沿って並列配置されている複数のパイプ体１３を一つずつ個別に起立させることも可能であるが、この場合には、パイプ体１３を起立させるための一回の操作に要する労力を低減することはできるものの、複数のパイプ体１３のすべてを起立させて、海苔網１を海面ＳＳから離間させるのに多大な時間を必要とするという問題点がある。
【００１０】
そこで、海面ＳＳに対して海苔網１を容易に接離することのできる海苔網設置構造が求められている。
【００１１】
本発明はこれらの点に鑑みてなされたものであり、海面に対して海苔網を容易に接離することのできる海苔網設置構造を提供することを目的とする。
【課題を解決するための手段】
【００１２】
前述した目的を達成するため特許請求の範囲の請求項１に係る本発明の海苔網設置構造は、支持している海苔網を反転させることにより海面に接している海中展張位置と海面から離間している干出位置とに変位させて保持する海苔網支持手段を有することを特徴とする。そして、このような構成を採用したことにより、海苔網支持手段を反転させることにより海苔網も反転させて、海苔網を海面に接している海中展張位置と海面から離間している干出位置とに変位させて保持するすることができ、海面に対して海苔網を確実にかつ容易に接離させることができる。
【００１３】
また、請求項２に係る本発明の海苔網設置構造は、請求項１において、一対の支持綱をその両端部を連結状態にして係止し、複数の前記海苔網支持手段を前記一対の支持綱を所定幅に展張するようにして支持綱の長手方向の複数箇所に設置し、前記一対の支持綱の間および前記海苔網支持手段の間に海苔網を展張させて、少なくとも１箇所の前記海苔網支持手段部分を反転させることにより全部の海苔網支持手段、支持綱および海苔網を反転させるように形成されていることを特徴とする。そして、このような構成を採用したことにより、少なくとも１箇所の海苔網支持手段部分を反転させることにより全部の海苔網支持手段、支持綱および海苔網を反転させて、海苔網を海面に接している海中展張位置と海面から離間している干出位置とに変位させて保持するすることができる。
【００１４】
また、前記海苔網支持手段は、前記一対の支持綱を所定幅に展張する展張部材と、海苔網を海中展張位置保持する第１浮子と、海苔網を干出位置に保持する第２浮子とを有するように形成するとよい。そして、このような構成を採用したことにより、より確実に海苔網支持手段を反転させることによって海苔網も反転させて、海苔網を海面に接している海中展張位置と海面から離間している干出位置とに変位させて保持するすることができる。
【００１５】
また、前記海苔網支持手段において、前記第２浮子の前記海苔網の幅方向の設置範囲を前記一対の支持綱の間隔以内とするとよい。そして、このような構成を採用したことにより、海苔網支持手段、支持綱および海苔網を確実にかつ簡単に反転させることができる。
【発明の効果】
【００１６】
本発明の海苔網設置構造は以上のように形成され作用するものであるから、海苔網支持手段を反転させることにより海苔網も反転させて、海苔網を海面に接している海中展張位置と海面から離間している干出位置とに変位させて保持するすることができ、海面に対して海苔網を確実にかつ容易に接離させることができる。
【発明を実施するための最良の形態】
【００１７】
以下、本発明の実施の形態を図面により説明する。なお、前述した従来のものと同一ないしは相当する構成については、図面中に同一の符号を付す。
【００１８】
図１から図５は本発明に係る海苔網設置構造を用いて海苔養殖場に設置された海苔網の実施形態を示すものであり、図１は全体構成の要部を示す平面図、図２は要部の斜視図、図３は海苔網支持手段部分の拡大斜視図、図４は海中展張状態を示す要部の一部切断拡大図、図５は干出状態を示す要部の一部切断拡大図である。
【００１９】
図１から図５に示すように、本実施の形態の海苔網設置構造２１においては、従来例と同様にして錨に係留されている多数の浮子によって海面の所定位置に設置されている１対の係留綱８の間に、一対の支持綱２２をその両端部を連結状態にして係留綱８に係止し、複数の海苔網支持手段２３を一対の支持綱２２の間を所定幅に展張するようにして支持綱２２の長手方向の複数箇所に設置し、更に、この一対の支持綱２２の間および海苔網支持手段２３の間に海苔網１を展張させて形成されている。本実施の形態の海苔網設置構造２１は図１において海苔網１の幅方向に複数個が並列設置されることになる。
【００２０】
更に説明すると、海苔網支持手段２３は、Ｔ字パイプ状の１対の連結具２４の横パイプ部２４ａに支持綱２２を挿通し、縦パイプ部２４ｂの間に一対の支持綱２２を所定幅に展張する展張部材２５としての細長いパイプ若しくはシャフトの両端部を挿入している。この展張部材２５の中央部には、海苔網１を海中展張位置に保持する円柱状の第１浮子２６が取着けられている。また、展張部材２５の中央部の第１浮子２６と各連結具２４との間には、それぞれＴ字状の１対の連結具２７の横パイプ部２７ａに展張部材２５を挿通し、縦シャフト部２７ｂにそれぞれ海苔網１を干出位置に保持する球状の第２浮子２８が装着されている。第２浮子２８の上下部分の縦シャフト部２７ｂにはゴムストッパ２９をそれぞれ取付けて、第２浮子２８の取付け位置を調整して固着するように形成されている。１対の第２浮子２８の海苔網１の幅方向の設置範囲（長さ）は、海苔網支持手段２３、支持綱２２および海苔網１を確実にかつ簡単に反転させるために、一対の支持綱２２の間隔以内とされている。また、第２浮子２８の浮力は、海苔網１とともに海苔網支持手段２３部分を大気中に位置させることができるように、第１浮子２６の浮力より大きく形成されている。海苔網支持手段２３部分の連結具２４、２７および展張部材２５はＦＲＰ等の樹脂材若しくはアルミ合金等の軽金属によって形成するとよい。更に、１対の支持綱２２には両者の間隔を維持するための伸子棒３０が支持綱２２の長手方向の適宜位置に設置されている。海苔網１は、図１および図２に示すように、支持綱２２の長手方向両端部に配置されている海苔網支持手段２３部分の内側の範囲において、海苔網２の縁綱３の適宜位置を支持綱２２に適宜な固着具をもって固着される。また、海苔網１の４隅部は吊り綱５を支持綱２２に固着されるようになっている。支持綱２２の長手方向両端部に配置されている海苔網支持手段２３部分の更に外側には、それぞれ第１浮子２６のみを固着した展張部材２５が連結具２４をもって展張されている。そして、１対の支持綱２２の両端の連結部は、図２に示すように、回り継手３１を水平回転軸として回動可能にして係留綱８に取付けられている。このようにして少なくとも１箇所の海苔網支持手段２３部分を反転させることにより全部の海苔網支持手段２３、支持綱２２および海苔網１を反転させるように形成されている。
【００２１】
つぎに、前述した構成からなる本実施の形態の作用について説明する。
【００２２】
図１から図４は海苔網１を海面ＳＳに展張して海苔の育苗または育生を行う通常の育苗または育生状態を示しており、図５は海苔網反転動作が終了して海苔網１が大気中に位置する干出状態を示す図である。
【００２３】
図１から図４に示すように、本実施形態の海苔網設置構造２１による海苔網１を海面ＳＳに展張して海中展張位置に保持することにより海苔の育苗または育生を行う通常の育苗または育生状態においては、各海苔網支持手段２３の第１浮子２６が海面ＳＳに浮かぶように位置しており、第２浮子２８は第１浮子２６の上方で海面ＳＳから離間した大気中に位置している。そして、各海苔網支持手段２３の展張部材２５および支持綱２３に係止されている海苔網１は、海面ＳＳに浮かぶようにして展張されている。したがって、本実施形態の海苔網設置構造２１の育苗または育生状態においては、従来と同様に、海苔網１を海水に浸漬させて海苔の養殖を施すことができる。
【００２４】
そして、海苔網支持手段２３を水平軸回りに半回転させることで海苔網反転動作を実施し、これにより海苔網１を海面ＳＳから離間させて大気中の干出位置に保持させる。
【００２５】
この海苔網反転動作は、各海苔網支持手段２３のうちの少なくとも一つを反転させることで行う。
【００２６】
具体的には、以下に説明する海苔網反転動作により行うとよい。
【００２７】
例えば、図２に示す海苔網１の長手方向の端部（図２の左端部）で、かつ、係留綱８の近傍に作業船を位置させて、海苔網１の長手方向の最端部の展張部材２５より係留綱８側に伸びて回り継手３１部分において連結されている１対の支持綱２２を人手により直接あるいは図示しないフック付きのロープ等を用いて、例えば反時計方向に水平軸回りに回転させる。この動作により、図４に実線にて示す育苗または育生状態の海苔網１、支持綱２２および海苔網支持手段２３は、図４に鎖線にて示すように図４の反時計方向にほぼ９０度回転して横倒しになる。この時、一対の支持綱２２の両端がそれぞれ回り継手２３を介して係留綱８に係止されているので、一対の支持綱２２がその両端に配設された回り継手３１を水平回転軸として回転する。よって、海苔網１の長手方向の最端部に位置する海苔網支持手段２３を横倒しにすることで、残りの海苔網支持手段２３は、横倒しとなった支海苔網支持手段２３に隣位するものから順に連鎖的に横倒しになる。
【００２８】
ついで、図４に鎖線にて示す横倒しとなった海苔網支持手段２３を図４の反時計方向にさらにほぼ９０度回転させて上下を反転させる。この時、一対の支持綱２２の両端がそれぞれ回り継手３１を介して係留綱８に係止されているので、上記の海苔網支持手段２３を横倒しする時と同様に、海苔網１の長手方向の最端部に位置する海苔網支持手段２３を図４の反時計方向にさらにほぼ９０度回転させて上下を反転することにより、残りの海苔網支持手段２３も、上下が反転した海苔網支持手段２３に隣位するものから順に連鎖的に上下が反転する。この反転動作の際に、１対の第２浮子２８の海苔網１の幅方向の設置範囲（長さ）を一対の支持綱２２の間隔以内としているために、海苔網支持手段２３、支持綱２２および海苔網１を確実にかつ簡単に反転させることができる。このようにして上下が反転した海苔網支持手段２３は、図５に示すように、海面ＳＳに浮かんでいる２つの第２浮子２８によって干出位置に確実かつ容易に保持される。その結果、海苔網１は表裏が反転した状態で海面ＳＳから離間して大気中の干出位置に確実に保持され、雑菌の殺菌などが良好に施される。
【００２９】
なお、図５に示す海苔網１が大気中に位置する干出状態は、例えば上記と逆の反転動作を行うことにより、図４に示す元の育苗または育生状態に容易に復帰する。
【００３０】
本実施形態の海苔網設置構造２１の支持綱２２によれば、回り継手３１によって係留綱８に回転可能に係止されているので、多大な労力を用いずとも容易に支持綱２２を回転させることができる。これにより、海苔網１を容易に反転させることが可能である。
【００３１】
したがって、本実施形態の海苔網設置構造２１によれば、海苔網１の表裏を反転させるとともに、海面ＳＳに対して海苔網１を接離することが容易かつ確実にできる。
【００３２】
なお、本発明は、前記実施形態に限定されるものではなく、必要に応じて変更することができる。例えば、図１に示す両端部の係留綱８を省略して、支持綱２２の両端部を直接大浮子５に連結して海面に展張するように形成してもよい。
【図面の簡単な説明】
【００３３】
【図１】本発明に係る海苔網設置構造を用いて海苔養殖場に設置された海苔網の育苗または育生状態の実施形態の全体構成を示す平面図
【図２】本発明の要部の斜視図
【図３】海苔網支持手段部分の拡大斜視図
【図４】海中展張状態を示す要部の一部切断拡大図
【図５】干出状態を示す要部の一部切断拡大図
【図６】従来の海苔網設置構造の要部を示す斜視図
【図７】従来の海苔網設置構造における海苔網の海面に対する接離動作を示す正面図
【符号の説明】
【００３４】
１  海苔網
８  係留綱
２１  海苔網設置構造
２２  支持綱
２３  海苔網支持手段
２５  展張部材
２６  第１浮子
２８  第２浮子
３１  回り継手
ＳＳ  海面
【図１】
2007000079.tif 000003
【図２】
2007000079.tif 000004
【図３】
2007000079.tif 000005
【図４】
2007000079.tif 000006
【図５】
2007000079.tif 000007
【図６】
2007000079.tif 000008
【図７】
2007000079.tif 000009